(57)【要約】【課題】各ガス消費先に設置されたガス漏れ警報器の接続有無を確認する手間を省くと共に、通信料を軽減することにより、コストダウンを図ったガスメータを提供する。【解決手段】ＣＰＵ１８ａ２が、ガス漏れ警報器２０の接続及び未接続を検出する。接続を一度も検出したことがない接続初期状態から、接続を一度でも検出したことがある接続済状態になったとき以降、未接続の検出に応じて、ＣＰＵ１８ａ２が、ガス漏れ警報器２０と端子台１６との接続が断たれたことを検出し、その旨を報知するデータを外部に送信する。【選択図】　　　図１
2004045075.tif 000002
【特許請求の範囲】
【請求項１】
ガス漏れ警報器の接続及び未接続を検出する接続／未接続検出手段と、
前記接続／未接続検出手段が前記接続を一度も検出したことがない接続初期状態から、前記接続を一度でも検出したことがある接続済状態になったとき以降、前記未接続の検出に応じて、前記ガス漏れ警報器と当該ガスメータの接続が断たれたことを検出する断線検出手段と、
前記断線の検出に応じて、その旨を報知するデータを外部に送信する送信手段と
を備えたことを特徴とするガスメータ。
【請求項２】
請求項１記載のガスメータであって、
前記接続／未接続検出手段の検出結果に応じて、前記ガス漏れ警報器が接続されているか否かを示す第１接続フラグのオン又はオフを行う第１フラグ制御手段と、
前記接続／未接続検出手段の検出結果に応じて、前記接続初期状態であるか前記接続済状態であるかを示す第２接続フラグのオン又はオフを行う第２フラグ制御手段とを備え、
前記断線検出手段は、前記第１及び第２接続フラグの状態に基づき、前記断線を検出する
ことを特徴とするガスメータ。
【請求項３】
請求項２記載のガスメータであって、
ガス使用時間が予め定めた設定時間以上、継続したときガス供給を遮断する使用時間遮断手段と、
前記第１接続フラグがオンのときとオフのときとで、前記設定時間を変更する変更手段と
を備えたことを特徴とするガスメータ。
【請求項４】
請求項１、２又は３記載のガスメータであって、
前記接続初期状態にリセットするリセット手段を
さらに備えることを特徴とするガスメータ。
【請求項５】
請求項１〜４何れか１項記載のガスメータであって、
前記接続及び未接続の検出を行わず、低電力消費状態となる出荷モードと、前記接続及び未接続の検出を行い、通常電力消費状態となる通常モードとの切り替えが可能であるとき、前記リセット手段は、前記通常モードから前記出荷モードへの切り替え操作、または、前記出荷モードから前記通常モードへの切り替え操作に応じて、前記リセットを行う
ことを特徴とするガスメータ。
【発明の詳細な説明】
【０００１】
【発明の属する技術分野】
この発明は、ガスメータに係わり、特に、ガス漏れ警報器の接続及び未接続を検出できるガスメータに関する。
【０００２】
【従来の技術】
ガスメータと管理センタとの通信を利用して、ガスメータの管理を行う集中管理システムにおいて、ガスメータから管理センタに送信される情報は、保安に関する保安情報と、ガス使用量に関する検針情報との２つに大別される。
【０００３】
上記管理センタは、ガスメータから送信された情報が保安情報である場合、その保安情報を、ガス事業者の保安を管理しているセクションに転送する。これに対して、ガスメータから転送された情報が検針情報である場合、その検針情報を、主にガス容器配送のセクションに転送する。
【０００４】
従来、ガス漏れ警報器の接続／未接続を検出できるガスメータは、管理センタに、定期的に検針情報を送信している。また、検針情報送信の際に、ガス漏れ警報器の未接続を検出していれば、ガス漏れ警報器未接続の旨を示す保安情報を、上記検針情報と一緒に、管理センタに送信していた。
【０００５】
そして、保安を管理しているセクションでは、管理センタを経由して上記ガス漏れ警報器未接続の旨を示す保安情報を受信すると、その保安情報を送信してきたガスメータとガス漏れ警報器との接続が断たれたと判断して、現場に向かい再びガス漏れ警報器との接続を確保する作業を行っていた。
【０００６】
【発明が解決しようとする課題】
ところで、上述したガス漏れ警報器は、全てのガスメータに必ず接続されるものでなく、ガス消費先によっては、ガスメータ設置時から元々、接続されていない場合もある。しかしながら、上述した従来のガスメータは、単に、ガス漏れ警報器の未接続を検出したときに、その旨を示す保安情報を送信している。
【０００７】
このため、保安を管理しているセクションでは、ガス漏れ警報器未接続の旨を示す保安情報が、ガス漏れ警報器の断線に応じて送信されたのか、それとも元々ガス漏れ警報器が接続されていなかったため送信されたのかを判断することができない。
【０００８】
そこで、保安を管理しているセクションでは、予め各ガス消費先に設置されたガスメータに対するガス漏れ警報器の接続有無を確認し、ガス漏れ警報器の接続が確認されているガスメータからのガス漏れ警報器未接続の旨を示す保安情報を受信したとき、ガス漏れ警報器とガスメータとの接続が断たれたと判断して、現場に向かっていた。このため、各ガス消費先に設置されたガス漏れ警報器の接続有無を確認する手間がかかり、コスト的に問題がある。
【０００９】
また、ガスメータ設置時から元々、ガス漏れ警報器が接続されていない場合は、定期的に送信される検針情報に、常にガス漏れ警報器未接続の旨を示す保安情報が相乗りすることになり、通信料金がかかり、この面からもコスト的問題が生じる。しかも、保安情報は管理センタからの転送先が検針情報とは異なるため、検針情報のみを送信する場合に比べ、通信料金が２倍になってしまう。
【００１０】
そこで、本発明は、上記のような問題点に着目し、各ガス消費先に設置されたガス漏れ警報器の接続有無を確認する手間を省くと共に、通信料を軽減することにより、コストダウンを図ったガスメータを提供することを課題とする。
【００１１】
【課題を解決するための手段】
上記課題を解決するためになされた請求項１記載の発明は、ガス漏れ警報器の接続及び未接続を検出する接続／未接続検出手段と、前記接続／未接続検出手段が前記接続を一度も検出したことがない接続初期状態から、前記接続を一度でも検出したことがある接続済状態になったとき以降、前記未接続の検出に応じて、前記ガス漏れ警報器と当該ガスメータの接続が断たれたことを検出する断線検出手段と、前記断線の検出に応じて、その旨を報知するデータを外部に送信する送信手段とを備えたことを特徴とするガスメータに存する。
【００１２】
請求項１記載の発明によれば、接続／未接続検出手段が、ガス漏れ警報器の接続及び未接続を検出する。接続／未接続検出手段が接続を一度も検出したことがない接続初期状態から、接続を一度でも検出したことがある接続済状態になったとき以降、未接続の検出に応じて、断線検出手段が、ガス漏れ警報器とガスメータとの接続が断たれたことを検出する。送信手段が、断線の検出に応じて、その旨を報知するデータを外部に送信する。
【００１３】
従って、ガスメータ設置時から元々ガス漏れ警報器が接続されていない場合、接続初期状態から接続済状態に移行することがないことに着目し、接続初期状態から接続済状態になったとき以降、未接続の検出に応じて断線を検出している。これにより、ガス漏れ警報器とガスメータとの接続が断たれたときだけ、その旨を報知するデータが送信され、ガス漏れ警報器との未接続が検出される毎に、データが送信されることを防ぐことができる。また、管理側では、断線検出の旨の受信によって、ガス漏れ警報器との接続の有無を確認することなく、ガス漏れ警報器が断線したと判断することができる。
【００１４】
請求項２記載の発明は、請求項１記載のガスメータであって、前記接続／未接続検出手段の検出結果に応じて、前記ガス漏れ警報器が接続されているか否かを示す第１接続フラグのオン又はオフを行う第１フラグ制御手段と、前記接続／未接続検出手段の検出結果に応じて、前記接続初期状態であるか前記接続済状態であるかを示す第２接続フラグのオン又はオフを行う第２フラグ制御手段とを備え、前記断線検出手段は、前記第１及び第２接続フラグの状態に基づき、前記断線を検出することを特徴とするガスメータに存する。
【００１５】
請求項２記載の発明によれば、第１フラグ制御手段が、接続／未接続検出手段の検出結果に基づき、ガス漏れ警報器が接続されているか否かを示す第１接続フラグのオン又はオフを行う。第２フラグ制御手段が、接続／未接続検出手段の検出に基づき、接続初期状態であるか前記接続済状態であるかを示す第２接続フラグのオン又はオフを行う。断線検出手段が、第１及び第２接続フラグの状態に基づき、断線を検出する。従って、第１及び第２接続フラグの２つの接続フラグを制御するだけで簡単に断線を検出したときだけ、データを送信することができる。
【００１６】
請求項３記載の発明は、請求項２記載のガスメータであって、ガス使用時間が予め定めた設定時間以上、継続したときガス供給を遮断する使用時間遮断手段と、前記第１接続フラグがオンのときとオフのときとで、前記設定時間を変更する変更手段とを備えたことを特徴とするガスメータに存する。
【００１７】
請求項３記載の発明によれば、使用時間遮断手段が、ガス使用時間が予め定めた設定時間以上、継続したときガス供給を遮断する。変更手段が、第１接続フラグがオンのときとオフのときとで、設定時間を変更する。従って、使用時間遮断の設定時間を第１接続フラグのオンとオフとで、つまり、ガス漏れ警報器の接続時と未接続時とで変えるために制御された第１接続フラグを流用して、より一層簡単に断線を検出したときに、データを送信することができるようになる。
【００１８】
請求項４記載の発明は、請求項１、２又は３記載のガスメータであって、前記接続初期状態にリセットするリセット手段をさらに備えることを特徴とするガスメータに存する。
【００１９】
請求項４記載の発明によれば、リセット手段が、ガスメータを接続初期状態にリセットする。従って、ガスメータの設置場所を変える際に、リセット手段によりガスメータを接続初期状態に戻せば、新たな設置先でのガス漏れ警報器の有無に応じて、正確に、断線検出を行うことができる。
【００２０】
請求項５記載の発明は、請求項１〜４何れか１項記載のガスメータであって、前記接続及び未接続の検出を行わず、低電力消費状態となる出荷モードと、前記接続及び未接続の検出を行い、通常電力消費状態となる通常モードとの切り替えが可能であるとき、前記リセット手段は、前記通常モードから前記出荷モードへの切り替え操作、または、前記出荷モードから前記通常モードへの切り替え操作に応じて、前記リセットを行うことを特徴とするガスメータに存する。
【００２１】
請求項５記載の発明によれば、通常、ガスメータの設置場所を変える場合、通常モードから出荷モードに切り替えた後に、出荷されると共に、新たな設置場所に設置された時点で出荷モードから通常モードに切り替えられることに着目し、リセット手段が、通常モードから出荷モードへの切り替え操作、または、出荷モードから通常モードへの切り替え操作に応じて、リセットを行う。従って、接続初期状態にリセットする操作と、通常モードから出荷モード、出荷モードから通常モードへの切り替え操作とを別々に行う必要がない。
【００２２】
【発明の実施の形態】
以下、本発明の実施の形態を図面に基づいて説明する。図１は、本発明のガスメータの一実施の形態を示すブロック図である。同図に示すように、ガスメータは、積算表示部１１、計量部１２、流量センサ１３を備えている。
【００２３】
上記積算表示部１１は、ガス供給源であるガス容器（図示せず）からガス器具（図示せず）に供給されるガスの流量がカウント表示（積算表示）される。そして、この積算表示部１１は、計量部１２に接続されている。
【００２４】
上記流量センサ１３は、計量部１２内の回転運動を利用して、ガス容器からガス器具に対してガスが一定流量、流れる毎にパルスを出力する。
【００２５】
また、ガスメータは、マグネットキー（図示せず）を近づけると、オンするテストスイッチ１４と、弁閉により、ガス容器からガス器具へのガス供給を遮断する遮断弁１５と、ガス漏れ警報器２０が接続される端子台１６と、伝送コントローラ（ＮＣＵ）３０が接続される端子台１７とを備えている。
【００２６】
上記伝送コントローラ３０は、電話線を通じて、電話回線網に接続し、遠隔の管理センタと通信を行うためのモデム（図示せず）及び電話線の接続を加入者電話機とガスメータとの間で切り替える自動切替器（図示せず）を備えている。
【００２７】
さらに、ガスメータは、制御回路１８を備えている。制御回路１８は、主制御部であるマイクロコンピュータ（μＣＯＭ）１８ａと、動作電源として機能する電池１８ｂと、インタフェース１８ｃなどから構成されている。
【００２８】
上記μＣＯＭ１８ａは、プラグラムや固定データなどを格納する読み出し専用のメモリであるＲＯＭ１８ａ１、このＲＯＭ１８ａ１に格納したプログラムに従って各種の処理演算を行う中央処理ユニット（ＣＰＵ）１８ａ２と、ＣＰＵ１８ａ２における処理に利用する作業エリアや処理演算結果を格納するデータ格納エリアを有する読み出し書き込み自在のメモリであるＲＡＭ１８ａ３を内蔵する。
【００２９】
また、上述したインタフェース１８ｃには、流量センサ１３のパルス出力端、テストスイッチ１４、遮断弁１５の制御端、端子台１６及び１７が接続されている。
【００３０】
上述した構成のガスメータの動作について以下説明する。
まず、ガス事業者は、上記ガスメータを新規設置すると、マグネットキーを操作して、低電力消費状態となる出荷モードから通常電力消費状態となる通常モードへの切り替え操作を行う。ガスメータ内のＣＰＵ１８ａ２は、上記出荷モードから通常モードへの切り替え操作を、マグネットキーの操作に応じてテストスイッチ１４のオンによって検出すると、後述するフラグ制御処理Ｉ、フラグ制御処理ＩＩ、使用時間遮断処理、設定時間変更処理、計量処理、検針処理などを行う。
【００３１】
上記フラグ制御処理Ｉにおけるガスメータの動作について、図２のフローチャートを参照して以下説明する。
まず、ガスメータ内のＣＰＵ１８ａ２は、リセット手段として働き、ＲＡＭ１８ａ３内に格納したマスクフラグ（＝第２接続フラグ）をオンする（ステップＳ１）。上記マスクフラグは、オンによって、ガス漏れ警報器２０の接続を一度も検出したことがない接続初期状態であることを示し、オフによって、ガス漏れ警報器２０の接続を一度でも検出したことがある接続済状態であることを示すフラグである。
【００３２】
次に、ＣＰＵ１８ａ２は、接続／未接続検出手段として働き、端子台１６にガス漏れ警報器２０が接続されているか否かを検出する（ステップＳ２）。ガス漏れ警報器２０の未接続を検出すると（ステップＳ２でＮ）、ＣＰＵ１８ａ２は、再びステップＳ２に戻る。これに対して、ガス漏れ警報器２０の接続を検出すると（ステップＳ２でＹ）、ＣＰＵ１８ａ２は、マスクフラグをオフした後（ステップＳ３）、フラグ制御処理Ｉを終了する。
【００３３】
次に、フラグ制御処理ＩＩにおけるガスメータの動作について、図３のフローチャートを参照して以下説明する。
まず、ガスメータ内のＣＰＵ１８ａ２は、リセット手段として働き、ＲＡＭ１８ａ３内に格納した未接続フラグ（第１接続フラグ）をオンする（ステップＳ４）。未接続フラグは、オフによって、現在ガス漏れ警報器２０が接続された状態であることを示し、オンによって、現在ガス漏れ警報器２０が未接続の状態であることを示すフラグである。
【００３４】
次に、ＣＰＵ１８ａ２は、接続／未接続検出手段として働き、端子台１６にガス漏れ警報器２０が接続されているか否かを検出する（ステップ５）。ガス漏れ警報器２０の未接続を検出すると（ステップＳ５でＮ）、ＣＰＵ１８ａ２は、未接続フラグをオンした後（ステップＳ６）、再びステップＳ５に戻る。これに対して、ガス漏れ警報器２０の接続を検出すると（ステップＳ５でＹ）、ＣＰＵ１８ａ２は、未接続フラグをオフした後（ステップＳ７）、再びステップＳ５に戻る。
【００３５】
なお、上記フラグ制御処理ＩＩは、テストスイッチ１４の２回連続オンの検出によって、マグネットキーを用いた通常モードから出荷モードへの切り替え操作が行われたと判断するまで行われる。
【００３６】
上述したフラグ制御処理Ｉ及びフラグ制御処理ＩＩでの動作から明らかなように、ＣＰＵ１８ａ２は、第１フラグ制御手段及び第２フラグ制御手段として働くことがわかる。また、上述したフラグ制御処理Ｉ及びフラグ制御処理ＩＩを行った結果、マスクフラグ、未接続フラグは図４に示すような状態になる。つまり、ガスメータを出荷モードから通常モードに変更した時点では、ガスメータは接続初期状態であり、マスクフラグ及び未接続フラグともにオン状態となる。
【００３７】
その後、ガス漏れ警報器２０の接続が検出され接続済状態に移行すると、マスクフラグ及び未接続フラグともにオフ状態となる。そして、何らかの原因でガス漏れ警報器２０と端子台１６との接続が断たれると、マスクフラグはオフのままで、未接続フラグだけがオンとなる。
【００３８】
また、ガスメータ内のＣＰＵ１８ａ２は、上述したフラグ制御処理Ｉ及びフラグ制御処理ＩＩと並行に、使用時間遮断処理、設定時間変更処理を行う。使用時間遮断処理において、ＣＰＵ１８ａ２は、使用時間遮断手段として働き、ガス使用時間が予め定めた設定時間を超えるとき、遮断弁１５の制御端に弁閉信号を出力して、遮断弁１５を弁閉させることによりガス供給の遮断を行う。
【００３９】
また、設定時間変更処理において、ＣＰＵ１８ａ２は、変更手段として働き、未接続フラグのオンオフ状態に応じて、使用時間遮断に用いる設定値を変更する。具体的には、図４に示すように、ＣＰＵ１８ａ２は、定期的に未接続フラグの状態を確認して、未接続フラグがオンのとき、時間延長１に設定時間を設定し、オフのとき、時間延長２（≧時間延長１）に設定時間を設定する。
【００４０】
また、ガスメータ内のＣＰＵ１８ａ２は、上述したフラグ制御処理Ｉ、フラグ制御処理ＩＩ、使用時間遮断処理、設定時間変更処理と並行に、流量センサ１３からパルスが出力される毎に、ＲＡＭ１８ａ３内に格納したガスの使用量に一定量を加算して、その加算した値を新たなガス使用量として上書きする計量処理を行っている。
【００４１】
ガスメータ内のＣＰＵ１８ａ２は、上述したフラグ制御処理Ｉ、フラグ制御処理ＩＩ、使用時間遮断処理、設定時間変更処理、計量処理と並行に、定期的に検針処理を行っている。この検針処理におけるガスメータの動作について、図５のフローチャートを参照して以下説明する。
まず、ＣＰＵ１８ａ２は、ＲＡＭ１８ａ３内に格納されたマスクフラグがオフであるか否かを判断する（ステップＳ７）。
【００４２】
マスクフラグがオンであった場合（ステップＳ７でＮ）、ＣＰＵ１８ａ２は、接続初期状態のままであり、ガスメータ設置時から元々ガス漏れ警報器２０が接続されていないと判断し、ＲＡＭ１８ａ３内に格納したガス使用量を検針情報として、ＮＣＵ３０を介して管理センタに送信した後（ステップＳ１０）、検針処理を終了する。
【００４３】
これに対して、マスクフラグがオフであった場合（ステップＳ７でＹ）、ＣＰＵ１８ａ２は、接続済状態であると判断し、次に、未接続フラグがオンしているか否かを判断する（ステップＳ８）。未接続フラグがオフであれば（ステップＳ８でＮ）、ＣＰＵ１８ａ２は、ガス漏れ警報器２０と端子台１６との接続が断たれていないと判断し、ステップＳ１０に進む。
【００４４】
一方、未接続フラグがオンであれば（ステップＳ８でＹ）、ＣＰＵ１８ａ２は、断線検出手段及び送信手段として働き、ガス漏れ警報器２０と端子台１６との接続が断たれていることを検出し、ステップＳ１０で送信する検針情報に加え、ガス漏れ警報器２０と端子台１６との接続が断たれている旨を伝える保安情報を管理センタに送信した後（ステップＳ９）、検針処理を終了する。
【００４５】
上述したガスメータによれば、接続初期状態から接続済状態になったとき以降、未接続の検出に応じて断線を検出し、その旨を報知するデータが送信される。従って、ガス漏れ警報器２０とガスメータの接続が断たれたときだけ、保安情報が送信され、ガス漏れ警報器２０との未接続が検出される毎に、保安情報が送信されることを防ぐことができる。つまり、マスクフラグオンによって未接続フラグをマスクすることとなり、未接続フラグオンだけでは保安情報が送信されることがなくなり、通信料を軽減することができる。
【００４６】
しかも、管理センタ側では、断線検出の旨の保安情報の受信によって、ガス漏れ警報器２０との接続の有無を確認することなく、ガス漏れ警報器２０と端子台１６との接続が断たれたと判断することができるので、各ガス消費先に設置されたガス漏れ警報器２０の接続有無を確認する手間を省くことができ、コストダウンを図ることができる。
【００４７】
また、上述したガスメータによれば、マスクフラグ及び未接続フラグの２つのフラグのオンオフを制御だけで簡単に断線を検出したときだけ、保安情報を送信することができる。
【００４８】
また、上述したガスメータによれば、使用時間遮断の設定時間をガス漏れ警報器の接続時と未接続時とで変えるために制御された未接続フラグを流用して、断線検出を行っているため、簡単な構成で断線検出を行うことができる。
【００４９】
また、上述したガスメータによれば、出荷モードから通常モードへ切り替えられることに応じて、マスクフラグがオンされて（図２のステップＳ１）、強制的に接続初期状態にリセットされている。このため、ガスメータの設置場所を変える際に、ガスメータを接続初期状態に戻せば、新たな設置先でのガス漏れ警報器２０の有無に応じて、正確に、断線検出を行うことができる。
【００５０】
また、出荷モードから通常モードへ切り替え操作を行うと、接続初期状態にリセットすることにより、ガス事業者は、ガスメータを新たな場所に設置する際に、接続初期状態にリセットする操作と、出荷モードから通常モードへの切り替え操作とを別々に行う必要がなく、使い勝手が良い。
【００５１】
なお、上述した実施形態では、出荷モードから通常モードへの切り替え操作を行うと接続初期状態にリセットされていたが、例えば、通常モードから出荷モードに切り替え操作を行うと接続初期状態にリセットされるようにしてもよい。
【００５２】
【発明の効果】
以上説明したように、請求項１記載の発明によれば、ガス漏れ警報器とガスメータとの接続が断たれたときだけ、その旨を報知するデータが送信され、ガス漏れ警報器との未接続が検出される毎に、データが送信されることを防ぐことができるので、通信料を軽減することができる。しかも、管理側では、断線検出の旨の受信によって、ガス漏れ警報器との接続の有無を確認することなく、ガス漏れ警報器とガスメータとの接続が断たれたと判断することができるので、各ガス消費先に設置されたガス漏れ警報器の接続有無を確認する手間を省くことができ、コストダウンを図ったガスメータを得ることができる。
【００５３】
請求項２記載の発明によれば、第１及び第２接続フラグの２つの接続フラグを制御するだけで簡単に断線を検出したときだけ、データを送信することができるガスメータを得ることができる。
【００５４】
請求項３記載の発明によれば、使用時間遮断の設定時間を第１接続フラグのオンとオフとで、つまり、ガス漏れ警報器の接続時と未接続時とで変えるために制御された第１接続フラグを流用して、より一層簡単に断線を検出したときに、データを送信することができるようになるガスメータを得ることができる。
【００５５】
請求項４記載の発明によれば、ガスメータの設置場所を変える際に、リセット手段によりガスメータを接続初期状態に戻せば、新たな設置先でのガス漏れ警報器の有無に応じて、正確に、断線検出を行うことができるので、設置場所を変えたときでも正確に断線を検出することができるガスメータを得ることができる。
【００５６】
請求項５記載の発明によれば、接続初期状態にリセットする操作と、通常モードから出荷モード、出荷モードから通常モードへの切り替え操作とを別々に行う必要がないので、使い勝手の良いガスメータを得ることができる。
【図面の簡単な説明】
【図１】本発明のガスメータの一実施の形態を示すブロック図である。
【図２】フラグ制御処理ＩにおけるＣＰＵ１８ａ２の処理手順を示すフローチャートである。
【図３】フラグ制御処理ＩＩにおけるＣＰＵ１８ａ２の処理手順を示すフローチャートである。
【図４】フラグ制御処理Ｉ、ＩＩを行った結果のマスクフラグ及び未接続フラグの状態を示す。
【図５】検針処理におけるＣＰＵ１８ａ２の処理手順を示すフローチャートである。
【符号の説明】
１８ａ２　ＣＰＵ（接続／未接続検出手段、断線検出手段、送信手段、第１フラグ制御手段、第２フラグ制御手段、リセット手段、使用時間遮断手段、変更手段）
２０　　　ガス漏れ警報器
【図１】
2004045075.tif 000003
【図２】
2004045075.tif 000004
【図３】
2004045075.tif 000005
【図４】
2004045075.tif 000006
【図５】
2004045075.tif 000007